(57)【要約】本発明は両端で平たく折られる液体容器に関する。出口手段は容器と一体に形成されて製造コストを低減する。流出誘導手段は容器と一体に形成されて、使用者は出口手段を通じて内容物を容易に飲用できる。容器は折られるので、容器が占める空間を小さくなり包装および運搬コストを減らす。容器は合成樹脂でブロー成型工法により形成されて出口手段を定義する部分が他の部分より硬い。 折綴誘導手段が容器の両端に形成されて、容器は折綴誘導手段にしたがって折られる。容器の内周に延長する突起は流出誘導手段の役割をする。
2004513031.tif 000002
【特許請求の範囲】
【請求項１】
内容物が入る本体、
前記本体に形成されて内容物が排出される出口、
前記出口に密封結合される栓、および
前記本体の側壁および／または底面に形成されて、吸引力または外部圧力により横方向に平たく折られたり広げられたりするように構成される折綴誘導手段
とからなる液体容器。
【請求項２】
前記本体が横方向を基準に少なくとも一つの所に広幅部を備え、前記広幅部が吸引力により内側に平たく折られるようにフレキシブルなものであることを特徴とする請求項１記載の液体容器。
【請求項３】
前記広幅部が本体の一側および／または両側の側壁に形成されることを特徴とする請求項２記載の液体容器。
【請求項４】
前記広幅部が本体の底面に形成されることを特徴とする請求項２記載の液体容器。
【請求項５】
前記折綴誘導手段が本体の側壁および／または底面に線形折綴誘導部を形成して構成されることを特徴とする請求項１記載の液体容器。
【請求項６】
前記折綴誘導手段が本体の側壁および／また底面に多段に折って綴られる折綴誘導部を形成することを特徴とする請求項１記載の液体容器。
【請求項７】
前記折綴誘導手段が本体をフレキシブルに折る合成樹脂で形成されることを特徴とする請求項１記載の液体容器。
【請求項８】
前記本体に形成された流出誘導手段をさらに含むことを特徴とする請求項１記載の液体容器。
【請求項９】
前記流出誘導手段が本体の壁面に内向または外向に形成された流出通路を含むことを特徴とする請求項８記載の液体容器。
【請求項１０】
前記流出誘導手段が本体の側壁に所定の余裕空間に形成された流出通路を含むことを特徴とする請求項８記載の液体容器。
【請求項１１】
前記流出誘導手段が本体の内部の上面で下向に突出された長突起を含むことを特徴とする請求項８記載の液体容器。
【請求項１２】
前記本体に形成された密着防止手段をさらに含むことを特徴とする請求項１記載の液体容器。
【請求項１３】
前記密着防止手段が本体の壁面に内向または外向に形成された突起若しくは溝に構成されることを特徴とする請求項１２記載の液体容器。
【請求項１４】
前記密着防止手段は本体の壁面に陽刻若しくは陰刻された文字および／また図形に構成されたことを特徴とする請求項１２記載の液体容器。
【請求項１５】
前記密着防止手段が本体の内部の上面で下向突出された長突起を含むことを特徴とする請求項１２記載の液体容器。
【請求項１６】
前記本体の合成樹脂で形成することを特徴とする請求項１記載の液体容器。
【請求項１７】
前記本体の上部より下部が広く形成されたことを特徴とする請求項１記載の液体容器。
【請求項１８】
前記本体の下部の両断を密着させて縫合することを特徴とする請求項１記載の液体容器。
【請求項１９】
前記本体の底面に折綴縫合台を接着するすることを特徴とする請求項１記載の液体容器。
【請求項２０】
栓が出口の外周に締結され、截取線により区画されて本体の掛かる敷居に掛かる偽造防止輪を含むことを特徴とする請求項１記載の液体容器。
【請求項２１】
前記栓が出口の上段に截取線を介して一体に連結形成されることを特徴とする請求項１記載の液体容器。
【請求項２２】
前記栓が上段部に形成されたハンドルをさらに含むことを特徴とする請求項２１記載の液体容器。
【請求項２３】
前記出口にベローズベンディング部を形成したことを特徴とする請求項１記載の液体容器。
【請求項２４】
前記出口に液体充填時、連続的に容器が供給されるように掛り溝を備える掛り部が一体に形成されることを特徴とする請求項１記載の液体容器。
【発明の詳細な説明】
【０００１】
［技術分野］
本発明は飲み物とか生水若しくは薬物などの液状内容物を入れて包装、運搬および販売できる液体容器に関するもので、とくに容器本体の幅が広くて厚さが薄く、フレキシブルであって、コンパクトに折られて嵩を減らすことができると共に使用および取り扱いが便利な液体容器に関する。
【０００２】
また、本発明は別途のストローを使わなくても液状内容物の吸引または排出させることが容易な液体容器に関する。
【０００３】
［背景技術］
コーラとかジュースのような飲み物とか生水若しくは薬物などの液状内容物はその種類にしたがって多様な形態の容器に入れて包装、運搬および市販される。
【０００４】
これをために、通常の液体容器はアルミニウム材質になる缶とか合成樹脂になる容器に蓋を結合したものを用い、蓋を開放した後、口をつけて飲んだり、ストローを用いて内容物を吸引できるようになっている。しかしながら、前記液体容器は材質が堅くて円通状の一定な形態を取っているので、嵩が大きく重くて扱いが不便な問題点があった。
【０００５】
このような問題点を解決するためなもので、日本国実公平２−２１３９９号公報（１９９０．６．８）には、フレキシブルフィルムにより作られ上方に開口が設置された容器本体と口部および導管部を備え、前記導管部が容器本体の内部空間に伸びるように容器本体の開口に固着された取り出す装置を備える液体充填容器が開示されている。
【０００６】
ここに開示された液体充填容器は、従来の定型化になった容器に比べて軽量でフレキシブル（ないしは柔軟）であって、ある程度扱いが便利である利点がある。
【０００７】
しかしながら、前記液体充填容器はその構成が本体と口部および導管部などに複雑であるので製造が難しく、容器本体を一定の形態に維持されなければならいので、嵩を減らすのが限界があり、取り扱いが不便であるので、その結果、保管および運搬が不便である問題点がある。
【０００８】
また、前記液体充填容器は導管部を通じて内容物を吸引することは便利であるが、コップなどの他の容器に注いで移すことが不便な問題点がある。
【０００９】
［発明の開示］
前記従来技術の問題点を解決するためのものとして、本発明は容器本体の幅が広くて厚さは薄く、フレキシブルであって、コンパクトに折られて嵩を減らすことができると共に使用および扱いが便利であるようにする液体容器を提供することを目的としている。
【００１０】
また、本発明の他の目的は、容器に入れた飲料を容易に吸引できるようにすると共に他の容器に注いで移すことができる液体容器を提供するものである。
【００１１】
前記目的を達成するために、本発明の液体容器は内容物が入る本体と、前記本体に形成されて内容物が排出される出口と、前記出口に密封結合される栓を含み、そして前記本体は側壁および／または底面に形成された折綴誘導手段を備えて吸引力または外部圧力により横方向に平たく折られたり広げられたりするように構成されることを特徴とする。
【００１２】
前記容器本体は横方向を基準に少なくとも一つの所に広幅部を備え、前記広幅部は吸引力により内側に平たく折られるようにフレキシブルな材質に形成される。このような広幅部は本体の一方の側および／または両側の側壁若しくは底面に形成される。
【００１３】
望ましくは、本発明の折綴誘導手段は側壁および／または底面に線形折綴誘導部を形成して構成する。側壁および底面に同時に線形折綴誘導部を形成する場合には、側壁折綴誘導部と底面折綴誘導部が合う部位を山形の折綴誘導部に形成する。前記折綴誘導手段は多段に折綴される形の折綴誘導部に形成することができる。
【００１４】
また、前記折綴誘導手段は本体をフレキシブルに折られる合成樹脂で形成して達成することができる。
【００１５】
本発明では、本体に流出誘導手段をさらに形成して構成される。流出誘導手段は内容物を吸引するときに、内部が真空状態になって、本体が平たく折られる場合にも本体内部に内容物の排出通路を形成して内部の内容物が容易に排出されるようにする。
【００１６】
このために、流出誘導手段は本体の壁面に内向若しくは外向形成された流出通路を形成して構成される。流出誘導手段は本体の側壁に平たく折られなくて所定の空間を形成する構造の流出通路に形成することもできる。
【００１７】
また、流出誘導手段は本体の内部の上面で下向突出される構造の長突起に形成することができる。
【００１８】
本発明では、本体に密着防止手段をさらに形成して構成される。密着防止手段は内容物を吸引するとき、真空にすることよって本体が平たく折られるものを防止するために設けられる。
【００１９】
これをために、密着防止手段は本体の壁面に内向若しくは外向突起および／または溝を形成して構成することができ、陽刻若しくは陰刻文字および／または図形に形成して構成することができる。また、密着防止手段は本体の内部の上面で下向突出された長突起を形成して実現することができる。
【００２０】
本発明では、容器本体は上部より下部を広く形成し、内容物の充填性を容易にし、直立状態を維持することができるようにすることが望ましい。
【００２１】
本発明によれば容器本体は下部両端を密着させて縫合する形態に具現することができ、本体の底面に別途の折綴縫合台を当てて接着して具現することもできる。
【００２２】
一方、本発明において容器の出口に結合される栓は、出口の外周に螺子結合方式に締結され、截取線に区画されて本体の掛かる敷居に掛かる偽造防止輪を含む。
【００２３】
望ましくは、前記栓は出口の上段に截取線を介して一体に連結形成し、その上段部にハンドルを形成して強制的に引っ張って開放されるように構成する。
【００２４】
［発明を実施するための最良の形態］
以下、添付図面に基づいて本発明の望ましい実施形態を説明する。
【００２５】
実施の形態１
図１〜３は本発明の一つの実施の形態を示す。
【００２６】
図示したとおり、本発明の液体容器はコーラとかジュースのような飲み物とか生水若しくは薬物などの液状内容物が入れられるもので、本体１００と、内部に入れた液状内容物を吸引排出したり、他の容器に注いで移したりする出口２００と、前記出口２００に螺子締結方式に密閉結合される栓３００とからなる。
【００２７】
本発明の特徴的な構成として、前記本体１００は全体的な嵩を減らして使用性および取り扱い性を向上せさるため、幅を広くして厚さを薄くして平たく折られるように構成する。
【００２８】
このために、本発明では本体１００の側壁および／または底面に本体自体が容易に折られるようにする折綴誘導手段を設ける。前記折綴誘導手段は吸引力若しくは外部の圧力によって本体の内部に真空状態が発生する場合、本体の厚さの部位が平たく折られるように誘導するためのものである。
【００２９】
望ましくは、前記折綴誘導手段は図４に図示したとおり、本体１００の横方向を基準に少なくとも一つの所の厚さを広くして広幅部１０２に具現することができる。広幅部１０２はフレキシブルな（ないしは可撓性を有する）合成樹脂材で形成して吸引力によって本体１００の内部が真空状態になるとき、図３のとおり、平たく折られるものである。このような広幅部１０２は本体の一方の側および／または両側の側壁若しくは底面に厚さを広くして形成することができる。
【００３０】
また、前記折綴誘導手段は広幅部１０２に線形折綴誘導部１０４、１０６を形成して構成することができる（図１参照）。線形折綴誘導部は広幅部１０２が容易に折られるようにするために、本体１００の側壁および／または底面の厚さの中心部分に予め折る線を形成するものである。
【００３１】
このような線形折綴誘導部１０４、１０６はブロー成型工法、ダイレクト中孔成型工法若しくはインジェクション中孔成型工法で本体１００を製造した後、前記本体１００を平たく折って圧着することにより実現することができるが、このとき熱圧着すると、折る線をより鮮明に形成することができる。また、前記線形折綴誘導部１０４、１０６は本体１００の自体に微細な溝を彫り付けて形成することができる。
【００３２】
線形折綴誘導部１０４、１０６は本体の側壁と底面に同時に形成する場合、その折綴誘導部１０４、１０６が会う部位を山形の折綴誘導部１０８で形成して連結するのがよい。
【００３３】
本発明の他の実施形態として、前記折綴誘導手段は図５および図６に図示したとおり、多段に折って綴られる形態の折綴誘導部１１０に形成することができる。このような折綴誘導部１１０は、本体１００の側壁に多数の折綴誘導部１０４，１０４′を形成し、同一な線上である底面に多数の折綴誘導部１０６を形成し、これらを山形の多数の折綴誘導部１０８を通じて連結して容易に折られるようにして実現することができる。
【００３４】
多段に折られる折綴誘導部１１０を形成する場合には、本体１００の底面の厚さをさらに大きくすることができるし、この場合には内容物の貯蔵能力の大容量化を実現することができる。また、容器本体１００の下部を上部より広くして構造的に安定な姿勢をとることができる。
【００３５】
このように構成された容器本体１００は、液状内容物の吸引排出時、内部が真空状態になって本体１００が平たく折られて、前面、後面が互いに接触されて液状内容物の排出が難しくなる。これを防止するために、本発明では本体１００に流出誘導手段を形成して構成される。
【００３６】
流出誘導手段は、本体１００の壁面に外向流出通路１１２を形成して実現することができる。また、図７に図示したように、本体１００の壁面に内向流出通路１１２′の形態に製造することができる。このように形成された流出通路１１２、１１２′は本体１００の前、後面の壁が互いに接触されても内容物が排出されることができる空間を確保する。
【００３７】
前記流出誘導手段の他の実施形態が図８に図示されている。図８は本体１００の一つの側壁が折られた状態を示す。図面で折綴誘導部１０４′は厚さが広くなっており、その厚さによって平たく折られた状態の本体１００は、前面、後面の間に所定の空間、すなわち流出通路１１２″を確保する。
【００３８】
また、流出誘導手段の他の実施形態として、本体１００の内部の上面には下向突出される構造に長突起１１４を形成することができる（図４参照）。このような長突起１１４は本体１００の前面、後面が密着されるものを防止する同時に、内容物の吸引排出時、本体１００が平たく折られるとき、前面、後面の間に所定空間を形成して内容物が容易に排出されるようにする。この目的を達成するために、前記長突起１１４は少なくとも本体１００の全体の長さの半分以下になるように形成する。また、長突起１１４は二つ以上の複数個に形成することもできる。
【００３９】
共に、本発明では本体１００の前面、後面の壁が密着される場合、流出通路１１２、１１２′、１１２″による排出が制限されるものを防止し、より円滑な排出を図るために密着防止手段をさらに形成して構成される。
【００４０】
密着防止手段は、本体１００の壁面に内向突起１１６および／または溝の形態に構成することができるが、これは図９に図示したように、不特定多数個若しくは列を合わせて多数個を羅列した突起１１６′および／または溝の形態に形成することもできる。
【００４１】
本発明の他の実施形態として、前記密着防止手段は前記図４の長突起１１４の形態に製造することができ、また図１０に図示したように、陽刻若しくは陰刻文字１１８および／または図形の形態に構成することもできる。
【００４２】
一方、本発明を構成する出口２００は、内部に入った液状内容物を吸引排出させたり、他の容器に注いで移すようにする流出孔２０２を備え、外部に螺子山２０４を設け、下部には栓３００の偽造防止輪３０２が掛かる敷居２０６を形成して構成される。
【００４３】
また、本発明を構成する栓３００は、内周面に螺子山３０４を備えて出口２００の外周面に螺子結合方式に締結され、その下段部は出口２００の掛かる敷居２０６の下まで延長されて飲み物などの内容物の出入口の周辺を完全にカバーして汚染を防止する。このような栓３００は下段部に截取線（ないしは切り取り線）３０６によって区画された偽造防止輪３０２を備え、偽造防止輪３０２は栓３００の開放時に掛かる敷居２０６によって掛って截取されるので、偽造を防止することができる。
【００４４】
このように構成された本発明の液体容器の作動説明はつぎのとおりである。
【００４５】
本発明の液体容器は使用時、まず、栓３００を剥ぐ。栓３００は反時計の方向に回して除去することができるが、このとき、偽造防止輪３０２は掛かる敷居２０６によって掛って截取され（ないしは切り取られ）、その上部のみが除去される。
【００４６】
以後、使用者は出口２００に口をつけて吸って内部の飲み物を吸引飲用することができ、本体１００は内容物の排出に合わせて図７のような状態に平たく折られるようになる。
【００４７】
通常、本体１００が真空状態になって折られると、使用者は内容物を吸って飲むことが難しくなる。しかしながら、本発明の液体容器は、流出通路１１２、１１２′、１１２″を備えているので、内容物の排出を容易にすることができる。同一の理由で本発明は、密着防止手段を備えており、本体１００の内部に所定空間を形成するので、内容物の吸引排出をより容易にする。
【００４８】
もし、使用者が内部に盛られた内容物を他の容器に注いで移すようにすると、図３の荷重ように本体１００をさかさまに立てる。このとき本体１００は、内容物の荷重により、隙間ができて出口２００の流出孔２０２を通じて内容物の排出が容易に実現される。
【００４９】
実施の形態２
図１１および図１２は本発明の他の実施の形態を示す。
【００５０】
図示したとおり、本発明の液体容器は実施の形態１と同一に本体１００と、前記本体１００の上部に突出された出口２００と、前記出口２００に螺子結合方式に密閉結合される栓３００とからなる。
【００５１】
ここで、出口２００と栓３００は実施の形態１の構成と同一にになっているので、敷衍説明を省略する。但し、本実施形態では容器本体１００の底面の中心に広幅部を備え、前記広幅部に折綴誘導手段として多段になった折綴誘導部１１０を形成している。多段折綴誘導部１１０は少なくとも二つの単一折綴誘導部１０６を含む。
【００５２】
また、本実施の形態では本体１００の側壁に単一折綴誘導部１０４″を形成した構造とする。その結果、本体１００は横方向に截取する場合、その断面が楕円の形態になる。
【００５３】
このような構造を有する本体１００は、ダイレクト中孔成型工法若しくはインジェクション中孔成型工法に製造し、底面に広幅部を設け、これを熱圧着してサイド側の折綴誘導部１０４″および底面の多段折綴誘導部１１０を形成して構成される。
【００５４】
一方、本体１００の前面若しくは後面のほぼ中心部には垂直に流出誘導手段を形成する。これは実施の形態１と同一に内向流出通路１１２′に実現することができる、また外向流出通路の構造に実現することができる。
【００５５】
また、前記流出誘導手段は図１２に図示したように、本体１００のサイドの少なくとも一側を折綴誘導部１０４″に形成しなく、楕円形の空間を形成して流出通路１１２″を具現することができる。
【００５６】
実施の形態３
図１３および図１４は本発明の他の実施の形態を示す。
【００５７】
図示したように、本発明の液体容器は実施の形態１のように本体１００と、前記本体１００の上部に突出された出口２００と、前記出口２００に一体に連結成型および密閉される栓３００′とからなる。
【００５８】
本実施の形態に特有の構成として、栓３００′は出口２００の上段との境界部に截取線３１２を備えて必要時、截取除去（ないしは切除）することができるように構成されており、その上部には内栓３１４がおり、その上部にさらに使用者が手で容易に取ることができるハンドル３１６を形成して構成される。ハンドル３１６は栓３００′を強制に引っ張って除去することに便利な構成である。
【００５９】
ここで、内栓３１４は出口２００の内経と同一であったり、若しくは微細に大きいサイズになり、これは内容物を飲用して残る場合、前記出口２００を再密閉するためのものである。前記内栓３１４は出口２００につけて強制圧入することによって再密閉される。
【００６０】
本実施の形態では、本体１００は下段部が開放される構造になっており、前記下段部には折綴縫合台１２０を熱接着方法にシーリングして密閉する。このような本体１００構造は内部に内容物を充填する作用が容易であり、内容物の充填後、折綴縫合台１２０をシーリングする。前記折綴縫合台１２０のほぼ中心には折綴誘導部１０６を形成する。
【００６１】
一方、本実施の形態の本体１００は流出誘導手段として本体１００の内部の上面で下向突出される長突起１１４′を備えって構成される。長突起１１４′は本体１００の前面、後面が密着されることを防止すると同時に、内容物の吸引排出時、本体１００が平たく折られるとき、前面、後面の間に所定の空間を形成して内容物を容易に排出されるようにする。この目的を達成するために、前記長突起１１４′を二つ設けて、その間の空間に内容物が容易に排出されるようにする。
【００６２】
図１５および図１６は本体１００の他の実施の形態を示す。図中、本体１００はサイドの両側が単一折綴誘導部１０４″になり、その下段部には折綴縫合台１２０が密封され、前記折綴縫合台１２０には下向に折られる折綴誘導部１０６′を形成した構造になっている。
【００６３】
図１７は本体１００に設けられる出口２００の他の構造を示す。図中、出口２００は本体１００の上部で左側若しくは右側に傾いて設けられる。これは使用者の飲用をより容易に達成するためのものである。
【００６４】
図１８は本体１００の底面の構造の他の実施の形態である。図面で、本体１００は下部の両端を直接密着させて縫合した形態になっている。
【００６５】
実施の形態４
図１９および図２１は本発明の他の実施の形態を示す。
【００６６】
図示したとおり、本発明の液体容器は本体１００と、前記本体１００の上部に突出された出口２００と、前記出口２００に締結結合される栓（図示省略）とからなる。
【００６７】
本体１００は前記実施例のとおり、側壁および／また底面に折綴誘導部１０４、１０４″を備え、前面若しくは後面の一方の側に流出通路１１２′を備えている。
【００６８】
ここで、本実施の形態に特有の構成は、出口２００が折られたり、広げられたりするようにベローズベンディング部２０８を形成することにある。ベローズベンディング部２０８は、必要時に折られたり、広げられることができるので、取り扱い、保管および運搬の便利性を向上させることができる。
【００６９】
図２１は掛り溝を備える掛り部Ｈを適用した本発明の実施の形態にしたがう液体容器を現す斜視図である。前記掛り部Ｈは前記口部２００と一体に前記本体１００の上段に形成されて液体充填ラインにより易しく供給されることができる。前記掛り部Ｈは図面に図示したような実施の形態のみではなく、本発明のすべての実施の形態に適用されることができる。
【００７０】
［産業上利用可能性］
以上の説明のように、本発明の液体容器は、コーラ、ジュース若しくは生水などの液状内容物を入れて包装、運搬および販売できるようにしたもので、とくに容器本体の幅が広くて厚さが薄く、フレキシブルであって、コンパクトに折られて嵩を減らすことができるようにすることにより、液体容器の使用および扱いを便利にするのに有用に適用することができる。
【００７１】
また、飲料商品の生産面でも、液体充填のときより効率的に空いた容器が充填ラインに供給されることができるので効率的であり、内部の飲料を容易に吸入飲用することができるし、また他の容器に注いで排出させることの形態を示す。
【図面の簡単な説明】
【図１】
本発明の実施の形態１の構成を図示した斜視図ある。
【図２】
本発明の実施の形態１の構成を図示した断面図である。
【図３】
本発明による液体容器の作動状態の斜視図である。
【図４】
本発明の実施の形態１を構成する本体を図示した一部切開斜視図である。
【図５】
本発明の実施の形態１を構成する流出誘導手段の構造を図示した側面図である。
【図６】
本発明の実施の形態１を構成する流出誘導手段の構造を図示した一部展開図である。
【図７】
本発明の実施の形態１を構成する流出誘導手段の構造を図示した側面図である。
【図８】
本発明の実施の形態１を構成する流出誘導手段の構造を図示した断面図である。
【図９】
本発明の実施の形態１を構成する密着防止手段の側面図である。
【図１０】
本発明の実施の形態１を構成する密着防止手段の斜視図である。
【図１１】
本発明の実施の形態２の構成を図示した斜視図である。
【図１２】
本発明の実施の形態２の構成を図示した斜視図である。
【図１３】
本発明の実施の形態３の構成を図示した斜視図である。
【図１４】
本発明の実施の形態３の構成を図示した断面図である。
【図１５】
本発明の実施の形態３を構成する本体を図示した斜視図である。
【図１６】
本発明の実施の形態３を構成する本体を図示した断面図である。
【図１７】
本発明の実施の形態３を構成する出口を図示した正面図である。
【図１８】
本発明の実施の形態３を構成する本体の下段部を図示した断面図である。
【図１９】
本発明の実施の形態４の構成を図示した斜視図である。
【図２０】
本発明の実施の形態４の構成を図示した斜視図である。
【図２１】
掛り溝を備える掛り部を適用した本発明の実施の形態にしたがう液体容器を現す斜視図である。
【国際公開パンフレット】
2004513031.tif 000003
2004513031.tif 000004
2004513031.tif 000005
2004513031.tif 000006
2004513031.tif 000007
2004513031.tif 000008
2004513031.tif 000009
2004513031.tif 000010
2004513031.tif 000011
2004513031.tif 000012
2004513031.tif 000013
2004513031.tif 000014
2004513031.tif 000015
2004513031.tif 000016
2004513031.tif 000017
2004513031.tif 000018
2004513031.tif 000019
2004513031.tif 000020
2004513031.tif 000021
2004513031.tif 000022
2004513031.tif 000023
2004513031.tif 000024
2004513031.tif 000025
2004513031.tif 000026
2004513031.tif 000027
2004513031.tif 000028
2004513031.tif 000029
2004513031.tif 000030
2004513031.tif 000031
2004513031.tif 000032
2004513031.tif 000033
2004513031.tif 000034
2004513031.tif 000035
2004513031.tif 000036
2004513031.tif 000037
2004513031.tif 000038
2004513031.tif 000039
2004513031.tif 000040
2004513031.tif 000041
2004513031.tif 000042
2004513031.tif 000043
2004513031.tif 000044
2004513031.tif 000045
2004513031.tif 000046
【国際調査報告】
2004513031.tif 000047